(57)【要約】      （修正有）【課題】リブ付型手すり、丸型手すり若しくは溝付型手すりの手すり受け金具に関するものである。【解決手段】リブ付型手すり、丸型手すり若しくは溝付型手すりの手すり受け金具１、１’、１’’は台座２とアーム兼受座とから成り、アーム兼受座は、台座２から２つ並立する形で立ち上げられたアーム部分３、４と、アーム部分に続いて台座２に対して平行に延びる水平部分５，６とから成る。アーム部分３，４に続いてこれに対して垂直に円柱形状の水平部分５，６が延びている。水平部分５，６は、それぞれ一定の肉厚の壁５ａ，６ａを有して、内方には空洞部５ｂ，６ｂが一端を開放されかつ他端に底部の外面はリブ付型手すり１０の横断面輪郭に相応する凹凸形状の台座面５ｄ，６ｄ，丸型手すり１０’の横断面輪郭に相応する円筒面状の台座面５ｄ’，６ｄ’若しくは溝付型手すりの凹部開口に差込まれる差込ウエブ５ｄ’’，６ｄ’’が形成されている。【選択図】図１
2005083077.tif 000002
【特許請求の範囲】
【請求項１】
１つの台座（２；２’）と２つのアーム（３、５；４，６）の２要素から成るリブ付型手すり又は丸型手すりの手すり受け金具（１，１’）であって、２つのアームの上腕部（５，６）が円柱状であることを特徴とするリブ付型手すり又は丸型手すりの手すり受け金具。
【請求項２】
１つの台座（２；２’）と２つのアーム（３、５；４，６）の２要素から成る溝付型手すりの手すり受け金具（１’’）であって、２つのアームの上腕部（５，６）が円柱状であることを特徴とする溝付型手すりの手すり受け金具。
【請求項３】
円柱状アームの手すり受座面の形状が、リブ付型手すり又は丸型手すり（１０；１０’）の外形輪郭に相応して凹凸形状（５ｄ，６ｄ）又は円筒面状（５ｄ’；６ｄ’）に形成されていることを特徴とする請求項１に記載のリブ付型手すり又は丸型手すりの手すり受け金具。
【請求項４】
円柱状アームに形成された差込ウエブ（５ｄ’’；６ｄ’’）が、溝付型手すり（２４）の凹部開口に挿入される大きさに形成されており、差込ウエブ（５ｄ’’，６ｄ’’）にアルミ形材（２４ａ）を介して溝付型手すり（２４）を固定するためにタッピングビス（２３）がねじ込まれることを特徴とする請求項２に記載の溝付型手すりの手すり受け金具。
【請求項５】
台座面に１つの直線状の縦溝（７）を備え、縦溝（７）の領域にタッピングビス用孔（１３，１５）が複数個設けられかつ溝蓋（２５）の位置決めピン（２７）用の孔（１４）が設けられていることを特徴とする請求項１から４までのうちのいずれか１つに記載の手すり受け金具。
【請求項６】
１つの台座（３２）と１つのアーム（３３）の２要素から成るリブ付型手すり、丸型手すり若しくは溝付型手すりの手すり受け金具（３１）であって、アームの上腕部（３３）が円柱状であり、台座面に２つの直線状の横溝（３７）を備え、横溝（３７）の領域にタッピングビス用孔（３８）が複数個設けられかつ溝蓋（２８）の位置決めピン（３０）用の孔（３９）が設けられていることを特徴とする前記手すり受け金具。
【請求項７】
台座面に設けられた縦溝（７）又は横溝（３７）の溝蓋（２５；２８）が夜光顔料が混入されたプラスチック成形品として形成されていることを特徴とする請求項５又は６に記載の手すり受け金具。
【請求項８】
台座（２；３２）の底面に溝蓋用逃げ（２ｂ；３２ｂ）が形成されていることを特徴とする請求項５から７までのうちのいずれか 1つに記載の手すり受け金具。
【発明の詳細な説明】
【技術分野】
【０００１】
本発明の目的物は、リブ付型手すり、丸型手すり若しくは溝付型手すりの手すり受け金具に関するものである。
【背景技術】
【０００２】
建物内の壁面に手すりが設置される場合には、 その構成は、従来から握り棒と受け金具とから構成される。従来技術による、手すり受け金具としては、台座、アーム及び受座の３要素から成る手すり受け金具が公知である｛製品カタログ「ｐｒｏｐ］株式会社ヤマヤコーポレーション｝。
握り棒と受け金具の緊結は、大略３つの方法で行われている。
第１の緊結方法は、受け金具が鋳物、挽物若しくはプレス物のいずれかから成るかを問わず、手すり受け金具がその底面で壁面に取り付けられるべき台座と、握り棒を受けるべき受座と、台座と受座を直結するアーム〈腕木）とから成る場合で、壁面に対しては手すり受け金具の台座をビス又はボルトで固定し、握り棒を受座と、受座の下側からビスやねじを握り棒内にねじ込みかつ締め付けて一体化することにより、握り棒を受け金具に緊結する方法である。
第２の緊結方法は、溝付型手すりの場合で、受座と握り棒から成る構造体としてのアルミ合金製押し出し型材の凹面開口に手すり受け金具のアーム〈腕木）の先端を差込み、ねじ止めした後、筒状の化粧カバーをかぶせる方法である。
第３の緊結方法は、アーム（腕木）を握り棒に直接溶接する方法で、握り棒がステンレス手すりの場合によく見られるが、握り棒が木製の場合には、アームと握り棒を握り棒に鑽孔された孔若しくは座ぐり穴に差し込んでビス止めをした後で、ビス穴を木栓を用いて埋木処理を行う方法である。
【０００３】
第１の緊結方法による設計・施工上の問題は、手すり受け金具を正面から見ると、ビスやねじの頭部が丸見えでかつ受座も見えるので、 デザイン上のすっきりしたスマートさがなく、野暮な印象を受けるのと、手すりを握ったまま手を横移動した場合に、受座の端面が直接手に当たり、端面（小口面）の面取り仕上げが気になり、仕上げが不十分の場合は手の切傷要因となるし、ビスやボルトの締め付けが不十分であったり、ビスやボルトが斜め打ちとなった場合は、ビスやボルトの頭部の縁が、受座面から飛び出していて同様の切傷要因となるし、ドライバービットの締め付け時に生じたバリが同様の事故を引き起こす虞がある。
第２の緊結方法は、溝付型手すりの下面に連続した凹面が生じるが、手すりを握った際に指先が丁度この凹溝に食い込むために、幼児や児童、痴呆性老人等、また、成人健常者であっても、予想外のすべりや転倒事故等に際して、指が挟まれる危険があるし、埃の溜まり場となる上に掃除が簡単にできない。このために、最近は、手すりを取り付けた後で凹溝を塞ぐ目地材が採択されるケースもある。この方法では、伝染病等の室内消毒の際に手すりの消毒殺菌が、溝付型手すりの中空空間部分に行き渡らないことになるので問題であるし、溝蓋の位置が、手すりを握った際に丁度指先、指腹に触れるために、 違和感が残り、快感を阻害する。
第３の緊結方法は、全て現場作業となるために、納期を短縮してかつ美しい仕上りとコストの低減が求められる最近の建築ニーズに全く応えることができない。
【０００４】
高齢化社会の到来で、以上のような事由から手すりの需要は益々高まる中で、建築家やデザイナーからは、ことある度毎に斬新な手すりを開発するようにと、本願発明の発明者及びその企業は度々要請を受けてきたところである。
【０００５】
手すりの握り棒に関しては、 本願発明の発明者も手すりの本質を究明して、滑らない、冷たくない、握り棒って気持ちが良い、掌の血行を良くして、頭脳の働きを活発にするという特徴を有する独自の健康手すりを開発して、好評を博しているところであるが、上記の手すり受け金具の新製品の開発は予算不足から思うようには進んでいなかった。
【０００６】
【非特許文献１】製品カタログ「ｐｒｏｐ」（株式会社ヤマヤコーポレーション）２０００年発行
【発明の開示】
【発明が解決しようとする課題】
【０００７】
本発明は、握り棒が手すり受け金具によって堅牢に保持され、接続する握り棒が手すり相互の同心性及び直線性を確保され、手すりの使用に際して、使用者の手を傷つける虞が完全に排除されるリブ付型手すり、丸型手すり若しくは溝付型手すりの手すり受け金具を創造し、従来の手すりのイメージを一新することを課題の基礎とする。
【課題を解決するための手段】
【０００８】
この課題は、請求項１から８に記載のリブ付型手すり、丸型手すり若しくは溝付型手すりの手すり受け金具によって解決される。本願の発明者が５年以上に亘る現場施工の経験を総括して、手すりの本質と建築界のニーズを絡めて、 漸く新製品に到達したところである。
【発明の効果】
【０００９】
本発明は、建築家、デザイナーの斬新なニーズに応えるとともに、手すり金具の生産コストを大幅に引き下げ、現場での施工性を高めて、なおかつより品質保証を高めることができる手すり受け金具の発明であり、この手すり受け金具と共に、既に本発明の発明者が開発した健康手すりと組み合わせて使用することによって、手すりのイメージを一新した正しく健康手すりの誕生を宣言できると考える。
本発明によれば、無垢の手すり、中空の手すりを問わず、手すり受け金具に手すりを取り付けるためのビスやねじが１つも手が触れる表面に現れていない。
従来の手すり受け金具が台座、アーム及び受座の３要素から成るのに対して、本発明による手すり受け金具は、アームと受座を兼用した構造であるために台座とアームの２要素から成り、簡素化された構造となっており、製造コストも低減される。
台座面の溝蓋として蓄光性夜光顔料が混入したプラスチック成形品を使用することにより、溝蓋は、停電時における夜間発光体として緊急避難誘導手すりとしての役割と、精神的安定をもたらす役割とを果たすことができる。
製造上の利点として、基本的に１つのダイキャスト金型で、握り棒を受ける受座面の形状に対応する金型部分の入れ子ピンを取り替えることのみで、リブ付型手すりはもとより，丸型手すりも、溝付型手すりにも使える基本デザインが共通する手すり受け金具（実施例１，２，３）を３種類製造できるので金型の製造コストが著しく低減されることができる。
【発明の実施をするための最良の形態】
【００１０】
本発明では種々の実施形態が可能である。実施形態が図面に表されており，以下これらを説明する。
【実施例１】
【００１１】
図１（ａ），（ｂ）、（ｃ），及び（ｄ）は、本発明によるリブ付型手すり受け金具１の実施例を示す。
本発明によるリブ付型手すり受け金具１は、台座２とアーム兼受座とから成り、アーム兼受座は、台座２から２つ並立する形で立ち上げられたアーム部分３、４とアーム部分３，４に続いて台座２に対して平行に延びる水平部分（アームの上腕部）５，６とから成る。アーム部分３，４は、それぞれ断面を図示しないが、肉厚の相等しい壁３ａ、４ａを有して横断面で見てＵ字形を呈しており、その長さの中間に補強リブ３ｂ，４ｂを備えている。アーム部分３，４に続いてこれに対して垂直に水平部分５，６が延びている。水平部分５，６は、円柱形状を有し、それぞれ一定の肉厚の壁５ａ，６ａを有して、内方には空洞部５ｂ，６ｂがそれぞれ一端を開放されかつ他端に底部を有するように形成されている。底部には手すりを固定するためのタッピングビスを通すための孔５ｃ，６ｃがあけられており、底部の外面はリブ付型手すり１０を受けるためにリブ付型手すり１０の横断面輪郭に相応する凹凸形状の台座面５ｄ，６ｄが形成されている。本発明によるリブ付型手すり受け金具１は、リブ付型手すり１０の規定長さ又はリブ付型手すり１０が設置されるべき壁面Ａの長さ若しくは屋内スペースに応じて最適の相互間隔で設置されることができる。本発明によるリブ付型手すり受け金具１は長いリブ付型手すり１０をその中間の任意の位置で支持し又はリブ付型手すり１０を継ぎ足す場合には、本発明によるリブ付型手すり受け金具１の一方の水平部分５の受台座５ｄ上と他方の水平部分６の受座面６ｄ上にそれぞれリブ付型手すり１０、１０を載せて直接若しくはジョイントゴムを介してつき合わせ、手すり１０の中心にダボを入れて接合し、タッピングビス用孔５ｃ，６ｃを介してタッピングビスで手すり受け金具に緊結する。その際精密金型でダイキャスト成形された本発明によるリブ付型手すり受け金具１により、隣接するリブ付型手すり１０と１０が相互に同心性及び直線性を確保できる。台座２は壁面Ａに固定されることができる。その際壁面Ａがコンクリートから成る場合には通常アンカースリーブ２０が壁面Ａに打ち込まれているので、外面から突出している鍔部分がリブ付型手すり受け金具１の底面と干渉することを避けなければならない。そこで、台座２の底面の補強リブ１１に囲まれた空所１２を所定の深さの空所として形成することにより、鍔部分をこの空所１２に収容し、タッピングビス２１を使用して台座２を壁面Ａに座り良く固定する。孔１３、１５はタッピングビス２１用の孔である。１４はピン用の孔を示す。
また、台座２の中央には、所定の幅の縦溝７が形成されており、タッピングビス用孔１３，１５はこの縦溝７の領域に設けられている。この縦溝７は、図５に表された夜光顔料を混入されたプラスチック成形品として形成された溝蓋２５を嵌め込むために形成されており、溝蓋２５はその幅が縦溝７の幅と略一致し、位置決めピン２７が縦溝７の領域に設けられた２つのピン孔１４に嵌入され、フック２６が、溝蓋２５のための逃げ２ｂ，２ｂが形成されている縦溝７の両端の逃げ２ｂ，２ｂの端縁２ａ、２ａに係止されることにより、プラスチック成形品である溝蓋２５の有する弾性に基づいてワンタッチで台座２の縦溝７にロックされかつワンタッチで台座２の縦溝７から取り外されることができる。夜光顔料を混入されたプラスチック成形品である溝蓋２５は、リブ付型手すり受け金具１の設置環境において、例えば、リハビリ施設の室内又は廊下等において、夜間の消燈又は減燈の下でも、停電の際であっても手すりを伝って歩行することを容易にし、停電による障害を排除して歩行を可能にする道標燈の役割を果たすために蓄光した光を発光し続ける。
【実施例２】
【００１２】
図２（ａ）、（ｂ）、（ｃ），及び（ｄ）は、丸型手すりの手すり受け金具１’の実施例を示す。
本発明による丸型手すりの手すり受け金具１’は、台座２とアーム兼受座とから成り、アーム兼受座は、台座２から２つ並立する形で立ち上げられたアーム部分３、４と台座２に対して平行に延びる水平部分（アームの上腕部）５，６とから成る。アーム部分３，４は、それぞれ断面を図示しないが、肉厚の相等しい壁３ａ、４ａを有して横断面で見てＵ字形を呈しており、その長さの中間に補強リブ３ｂ，４ｂを備えている。アーム部分３，４に続いてこれに対して垂直に水平部分５，６が延びている。水平部分５，６は、円柱形状を有し、それぞれ一定の肉厚の壁５ａ，６ａを有して、内方には空洞部５ｂ，６ｂがそれぞれ一端を開放されかつ他端に底部を有するように形成されている。底部には手すりを固定するためのタッピングビスを通すための孔５ｃ，６ｃがあけられており、底部の外面は丸型手すり１０’を受けるために丸型手すり１０’の横断面輪郭に相応する円筒面状の台座面５ｄ’，６ｄ’が形成されている。本発明による丸型手すりの手すり受け金具１’は、丸型手すり１０’の規定長さ又は丸型手すりの手すり受け金具１’が設置されるべき壁面Ａの長さ若しくは屋内スペースに応じて最適の相互間隔で設置されることができる。本発明による丸型手すりの手すり受け金具１’は長い丸型手すり１０’をその中間の任意の位置で支持し又は丸型手すり１０’を継ぎ足す場合には、本発明による丸型手すりの手すり受け金具１’の一方の水平部分５の台座面５ｄ’と、他方の水平部分６の受座面６ｄ’上にそれぞれ丸型手すり１０’を載せて直接若しくはジョイントゴムを介してつき合わせ、手すり１０’の中心にダボを入れて接合し、孔５ｃ，６ｃを介してタッピングビスで手すり受け金具に緊結する。その際精密金型でダイキャスト成形された本発明によるリブ付型手すり受け金具１’により、隣接する丸型手すり１０’と、１０’が相互に同心性及び直線性を確保できる。台座２は壁面Ａに固定されることができる。その際壁面Ａがコンクリートから成る場合には通常アンカースリーブ２０（図１）が壁面Ａに打ち込まれているので、外面から突出している鍔部分が丸型手すりの手すり受け金具１’の底面と干渉することを避けなければならない。そこで、台座２の底面の補強リブ１１に囲まれた空所１２を所定の深さの空所として形成することにより、鍔部分をこの空所１２に収容し、タッピングビス２１〈図１）を使用して台座２を壁面Ａに座り良く固定する。孔１３、１５はタッピングビス２１用の孔である。１４はピン用の孔を示す。
なお、本発明による丸型手すりの手すり受け金具１’は、図２（ａ）に一点鎖線で表されるような手すりの周囲の一部のみが丸型の手すりのほか、手すりの全外周が丸型の手すりにも使用されることは勿論である。
また、台座２の中央には、所定の幅の縦溝７が形成されており、台座固定ボルト用孔１３，１５はこの縦溝７の領域に設けられている。この縦溝７は、図５（ａ）に表された夜光顔料を混入されたプラスチック成形品として形成された溝蓋２５を嵌め込むために形成されており、溝蓋２５はその幅が縦溝７の幅と略一致し、位置決めピン２７が縦溝７の領域に設けられた２つのピン孔１４に嵌入され、フック２６が溝蓋２５のための逃げ２ｂ，２ｂが形成された縦溝７の両端の逃げ２ｂ．２ｂの端縁２ａ、２ａに係止されることにより、プラスチック成形品である溝蓋２５の有する弾性に基づいてワンタッチで台座２の縦溝７にロックされかつワンタッチで台座２の縦溝７から取り外されることができる。夜光顔料を混入されたプラスチック成形品である溝蓋２５は、丸型手すりの手すり受け金具１’の設置環境において、例えば、リハビリ施設の室内又は廊下等において、夜間の消燈又は減燈の下にあっても停電の際であっても手すりを伝って歩行することを容易にし、停電による障害を排除し歩行を可能にする道標燈の役割を果たすために蓄光した光を発光し続ける。
【実施例３】
【００１３】
図３（ａ）、（ｂ）．（ｃ）及び（ｄ）は、本発明による差込型手すり受け金具１の実施例を示す。
本発明による溝付型手すりの手すり受け金具１’’は、台座２とアーム兼受座とから成り、アーム兼受座は、台座２から２つ並立する形で立ち上げられたアーム部分３、４と、アーム部分３，４に続いて台座２に対して平行に延びる水平部分（アームの上腕部）５，６とから成る。アーム部分３，４は、それぞれ断面を図示しないが、肉厚の相等しい壁３ａ、４ａを有して横断面で見てＵ字形を呈しており、その長さの中間に補強リブ３ｂ，４ｂを備えている。アーム部分３，４に続いてこれに対して垂直に水平部分５，６が延びている。水平部分５，６は、円柱形状を有し、それぞれ一定の肉厚の壁５ａ，６ａを有して、内方には空洞部５ｂ，６ｂがそれぞれ一端を開放されかつ他端に底部を有するように形成されている。底部の外面には溝付型手すり２４の凹部開口に差込まれて、タッピングビス２３によってアルミ形材２４ａを介して溝付型手すり２４を固定するための差込ウエブ５ｄ’’，６ｄ’’が突出している。差込ウエブ５ｄ’’，６ｄ’’にはタッピングビス２３がねじ込まれることができる。本発明による溝付型手すりの手すり受け金具１’’は、溝付型手すり２４の規定長さ又は溝付型手すり２４の設置されるべき壁面Ａの長さ若しくは屋内スペースに応じて最適の相互間隔で設置されることができる。本発明による溝付型手すりの手すり受け金具１’’は長い溝付型手すり２４をその中間の任意の位置で支持し又は溝付型手すり２４を継ぎ足す場合には、本発明による溝付型手すりの手すり受け金具１’’の一方の水平部分５の差込ウエブ５ｄ’’と、他方の水平部分６の差込ウエブ６ｄ’’をそれぞれ凹部開口を介して溝付型手すり２４、２４に係入させてタッピングビス２３によって固定することができる。その際精密金型でダイキャスト成形された本発明による溝付型手すりの手すり受け金具１’’により、隣接する溝付型手すり２４，２４相互に同心性及び直線性を確保できる。台座２は壁面Ａの外面に固定されることができる。その際壁面Ａがコンクリートから成る場合には通常アンカースリーブ２０（図１）が壁面Ａに打ち込まれているので、外面から突出している鍔部分がリブ付型手すり受け金具１の底面と干渉することを避けなければならない。そこで、台座２の底面の補強リブ１１に囲まれた空所１２を所定の深さの空所として形成することにより、鍔部分をこの空所１２に収容し、タッピングビス２１（図１）を使用して台座２を壁面Ａに座り良く固定する。孔１３、１５はタッピングビス２１用の孔である。１４はピン用の孔を示す。溝付型手すりは、手すり受け金具と結合されている領域以外において、必要に応じて目地材を装填すること等によって凹部開口を塞ぐこともできる。
また、台座２の中央には、所定の幅の縦溝７が形成されており、タッピングビス用孔１３，１５はこの縦溝７の領域に設けられている。この縦溝７は、図５に表された夜光顔料を混入されたプラスチック成形品として形成された溝蓋２５を嵌め込むために形成されており、溝蓋２５はその幅が縦溝７の幅と略一致し、位置決めピン２７が縦溝７の領域に設けられた２つのピン孔１４に嵌入され、フック２６が溝蓋２５のための逃げ２ｂ，２ｂが形成されている縦溝７の両端の逃げ２ｂ，２ｂの端縁２ａ、２ａに係止されることにより、プラスチック成形品である溝蓋２５の有する弾性に基づいてワンタッチで台座２の縦溝７にロックされかつワンタッチで台座２の縦溝から取り外されることができる。夜光顔料が混入されたプラスチック成形品である溝蓋２５は、溝付型手すりの手すり受け金具１’’の設置環境において、例えば、リハビリ施設の室内又は廊下等において、夜間の消燈又は減燈の下にあっても、停電の際でも手すりを伝って歩行することを容易にし、停電による障害を排除して歩行を可能とする道標燈の役割を果たすために蓄光した光を発光しを続ける。
【実施例４】
【００１４】
図４（ａ）、（ｂ）及び（ｃ）は、本発明によるリブ付型手すり受け金具であって、アーム部分が１つで、溝蓋２８の嵌入される溝３７を２つ備えたリブ付型手すりの手すり受け金具３１の実施例を示す。
本発明によるリブ付型手すり受け金具３１は、台座３２とアーム兼受座とから成り、アーム兼受座は、台座３２から１つの立ち上げられたアーム部分（直軸）３３から成る。アーム部分３３は、それぞれ断面を図示しないが、所定の肉厚の壁３３ａを有して円柱形状を呈している。内方には台座側で開放された空洞部３３ｂが設けられ、その受座側の底部には、手すりを固定するためのタッピングビスを通すための孔３３ｃが設けられており、底部の外面はリブ付型手すり１０を受けるためにリブ付型手すり１０の横断面輪郭に相応する凹凸形状の台座面３３ｄが形成されている。本発明によるリブ付型手すり受け金具３１は、垂直方向に立ち上がる手すりの専用受け金具で、室内開口部や、トイレや、浴室などの縦型手すりに多用される。台座３２は壁面Ａに固定されることができる。その際壁面Ａがコンクリートである場合には通常アンカースリーブ２０（図１）が壁面Ａに打ち込まれているので、外面から突出している鍔部分がリブ付型手すり受け金具１の底面と干渉することを避けなければならない。そこで、台座３２の底面の図示しない補強リブに囲まれた空所を所定の深さの空所として形成することにより、鍔部分をこの空所に収容し、タッピングビス２１（図１）を使用して台座３２を壁面Ａに座り良く固定する。３８はタッピングビス２１用の孔であり、鑽孔を斜めにすることで、壁下地材がＬＧＳや幅の狭い間柱の場合でも、４本のタッピングビスのすべてを壁下地材に止めることができる。３９はピン用の孔を示す。
また、台座３２のアーム部分３３の前後に、所定の幅の２つの横溝３７が台座３２の縦方向に対して斜めに向けて形成されており、タッピングビス２１用の孔３８はこの横溝３７の領域に設けられている。この横溝３７は、図６に表された夜光顔料を混入されたプラスチック成形品である溝蓋２８を嵌め込むために形成されており、溝蓋２８はその幅が横溝３７の幅と略一致し、位置決めピン３０が横溝３７の領域に設けられた１つのピン用の孔３９に嵌入され、フック２９が溝蓋２８のための逃げ３２ｂ、３２ｂが形成されている横溝３７の両端の逃げ３２ｂ，３２ｂの端縁３２ａ、３２ａに係止されることにより、プラスチック成形品である溝蓋２８の有する弾性に基づいてワンタッチで台座３２の横溝３７にロックされかつワンタッチで台座３２の横溝３７から取り外されることができる。夜光顔料を混入されたプラスチック成形品である溝蓋２８は、リブ付型手すり受け金具３１の設置環境において、例えば、リハビリ施設の室内又は廊下等において、夜間の消燈又は減燈の下にあっても、停電の際であっても、手すりを伝って歩行することを容易にし、停電の障害を排除し歩行を可能にする道標燈の役割を果たすために蓄光した光を発光し続ける。
なお、この実施例については、リブ付型手すりの手すり受け金具３１についてのみ記載したが、アーム３３の手すり受座面３３ｄを図２の実施例の場合のように、円筒面状の受座面５ｄ’，６ｄ’と同一の形状に形成することによりリブ付型手すりの手すり受け金具３１を丸型手すり１０’用に、また、アーム部分３３の手すり受座面３３ｄを図３の実施例の場合のように、差込ウエブ５ｄ’’，６ｄ’’と同一の形状に形成することによりリブ付型手すりの手すり受け金具３１を溝付型手すりの手すり受け金具に変えることができる。
【産業上の利用可能性】
【００１５】
本発明によるリブ付型手すり、丸型手すり若しくは溝付型手すりの手すり受け金具は設置されるべき建物内のあらゆる設置条件に適合して、リブ付型手すり、丸型手すり若しくは溝付型手すりの手すり受け金具が所望の位置に正確に設置されかつリブ付型手すり、丸型手すり若しくは溝付型手すりが継ぎ足される場合に隣接するリブ付型手すり、丸型手すり若しくは溝付型手すり相互の同心性及び直線性を保持した設置が達成される。また、本発明によるリブ付型手すり、丸型手すり若しくは溝付型手すりの手すり受け金具は、従来技術による、台座、アーム及び受座の３要素から成る手すり受け金具が使用される全ての領域において、従来の受け金具に代替して使用されることができ、その際本発明による手すり受け金具は、手すり受け金具が設置されるべき壁面Ａの条件の如何にかかわらずに、壁面Ａがコンクリート壁、柱、幅の狭い間柱等の面であっても、本発明による手すりの手すり受け金具を、台座の縦溝の方向を柱の横方向に向けて又は幅の狭い柱等では、台座の横溝の方向を柱等の縦方向に向けても取り付けることができる。また、台座から２つ並立したアーム兼台座部分を１つのみとしたリブ付型手すり、丸型手すり若しくは溝付型手すりの手すり受け金具を使用することもできる。
従来公知の３要素手すり受け金具に対して、２要素手すり受け金具のために、手すり受け金具を含めて手すり全体が洗練されかつすっきりしたデザインとなる。
握り棒を手す受け金具に取り付ける際に、手すりの握り棒のリブ山を削り落としたり、丸い穴を穿孔したりする必要が皆無となるので手すりとしての品質が大幅に向上する。
リブ山と握り棒が密着一体化するために、横方向（手前に引いたり、壁側に押したり）に対する手す受け金具と握り棒の緊結強度が一段と増大する。
リブ付型手すり、丸型手すり若しくは溝付型手すりの手すり受け金具の製造において、ダイキャストマシンへの鋳型のセッテングが、一回の据付と、後は、金型の受座面の形状又は差込ウエブに対応する入れ子ピンの差し替えのみで、３種類の手すり受け金具を１つのダイキャスト金型で製造できるので、ダイキャストの投資効率を３倍に高めることができ、生産性も大幅にアップする。
握り棒と握り棒のジョイントは、左右のアームが、あたかも位置決めガイド治具の役割を果たすために握り棒と握り棒が一直線上で接合するので、とてもきれいに仕上がるし、ジョイント部の強度も高い。
ダイキャスト鋳型の設計に際しては、重量軽減のための鋳抜き空間を巧みに利用した製品ができるので、設計施工性能を更に高めることができ、例えば、台座の底面の鋳抜き空間によりアンカーナットの頭部を収納して壁面への手すり受け金具の取り付けにおける座面の座りが好適になり、また、溝蓋の発光輝度を高めることができる溝が形成され、手すり受け金具の２つのアームの空洞部をトイレットペーパのロールホルダの取り付け用穴として利用することもできる。
ビス孔を直線的に設けることによって、従来下地補強板なしでは取り付けが難しかったＬＧＳ（４５ｍｍ）や、木の間柱（３９ｍｍ）への手すり受け金具の取り付けが可能となる。
本発明による手すり受け金具は、亜鉛合金、アルミ合金、ステンレス鋳物等から成ることができる。
【図面の簡単な説明】
【００１６】
【図１】本発明によるリブ付型手すりの手すり受け金具を示す図であって、（ａ）は、側面図、（ｂ）は、正面図、（ｃ）は、手すり受け金具を（ｂ）の矢視Ｃ方向から見た上面図、そして（ｄ）は、底面図である。
【図２】本発明による丸型手すりの手すり受け金具を示す図であって、（ａ）は、一部断面で示す側面図、（ｂ）は、正面図、（ｃ）は、手すり受け金具を（ｂ）の矢視Ｃ方向から見た上面図、そして（ｄ）は、底面図である。
【図３】本発明による溝付型手すりの手すり受け金具を示す図であって、（ａ）は、一部断面で示す側面図、（ｂ）は、正面図、（ｃ）は、手すり受け金具を（ｂ）の矢視Ｃ方向から見た上面図、そして（ｄ）は、底面図である。
【図４】本発明によるリブ付型手すりの手すり受け金具であって、アームが１つで、台座面に２つの取り付け溝を設けたものを示す図であって、（ａ）は側面図、（ｂ）は正面図、（ｃ）は手すり受け金具を図（ｂ）の矢視Ｃ方向から見た上面図である。
【図５】図５は、本発明によるリブ付型手すり、丸型手すり若しくは溝付型手すりの手すり受け金具の中、１つの縦溝を備えた手すり受け金具に装着される蓄光性顔料を混入したプラスチック成形品として形成された溝蓋の斜視図である。
【図６】図６は、本発明によるリブ付型手すり、丸型手すり若しくは溝付型手すりの手すり受け金具の中、２つの横溝を備えた手すり受け金具に装着される蓄光性顔料を混入したプラスチック成形品として形成された溝蓋を表す図であって、（ａ）は、側面図、（ｂ）は、正面図である。
【符号の説明】
【００１７】
１  リブ付型手すりの手すり受け金具
１’  丸型手すりの手すり受け金具
１’’  溝付型手すりの手すり受け金具
２  台座
２ａ  逃げ２ｂの端縁
２ｂ  溝蓋用逃げ
３  アーム部分  
３ａ  側壁
３ｂ  リブ
４  アーム部分
４ａ  側壁
４ｂ  リブ
５  平行部分（アームの上腕部）
５ａ  側壁
５ｂ  空洞部
５ｃ  タッピングビス用孔
５ｄ  手すり受座面
５ｄ’手すり受座面
５ｄ’’  差込ウエブ
６  平行部分（アームの上腕部）
６ａ  側壁
６ｂ  空洞部
６ｃ  タッピングビス用孔
６ｄ  手すり受座面
６ｄ’手すり受座面
６ｄ’’差込ウエブ
７  台座面の縦溝
１０  リブ付型手すり
１０’  丸型手すり
１１  台座底面のリブ
１２  台座底の空所
１３  タッピングビス用の孔
１４  ピン用の孔
１５  タッピングビス用の孔
２０  アンカーナット
２１  タッピングビス（台座固定用）
２３  タッピングビス（手すり固定用）
２４  溝付型手すり
２４ａ  アルミ形材
２５  溝蓋
２６  位置決めピン
２７  フック
２８  溝蓋
２９  位置決めピン
３０  フック
３１  手すり受け金具
３２  台座
３２ａ  逃げ３２ｂの端縁
３２ｂ  溝蓋用逃げ
３３  アーム部分
３３ａ  側壁
３３ｂ  空洞部
３３ｃ  タッピングビス用の孔
３３ｄ  手すり受座面
３７  横溝
３８  タッピングビス用の孔
３９  ピン用の孔
Ａ  壁面（柱、間柱、壁、コンクリート等の面）
【図１】
2005083077.tif 000003
【図２】
2005083077.tif 000004
【図３】
2005083077.tif 000005
【図４】
2005083077.tif 000006
【図５】
2005083077.tif 000007
【図６】
2005083077.tif 000008